(57)【要約】【課題】地下貯蔵タンクからの漏洩液を検知するとともに、貯蔵タンク周囲の地盤への貯蔵液体の漏洩を防止して地盤の汚染を防止する、地下貯蔵タンクの液体漏洩検知装置を提供する。【解決手段】地下貯蔵タンク２の周囲に備えられる防液シート３と、誘導管４と、からなる地下貯蔵タンクの液体漏洩検知装置１０により、上記課題を解決する。この地下貯蔵タンク２は、少なくともその下面が地下６に埋設されている。そして、防液シート３は、地下貯蔵タンク２の地下に埋設された部位の外側に備えられており、液体を通過させない性質を有している。また、防液シート３の地下貯蔵タンク２下面に備えられた部位は、一点に向かって下向きのテーパが形成されている。さらに、誘導管４は、上端が防液シート３に設けられた空孔から接続され、その下端の検知位置８において漏洩液の有無を検知することができるように構成されている。【選択図】      図１
2004352320.tif 000002
【特許請求の範囲】
【請求項１】
地下貯蔵タンクの周囲に備えられる防液シートと、誘導管と、からなる地下貯蔵タンクの液体漏洩検知装置であって、
前記地下貯蔵タンクは、少なくともその下面が地下に埋設され、
前記防液シートは、通液性を有しないとともに前記地下貯蔵タンクの地下埋設部位の外側に備えられ、当該防液シートの当該地下貯蔵タンク下面に備えられた部位は、一点に向かって下向きのテーパが形成されており、
前記誘導管は、上側が前記防液シートに設けられた空孔から接続され、当該誘導管の下端において漏洩液の有無を検知することができるように構成されていることを特徴とする地下貯蔵タンクの液体漏洩検知装置。
【請求項２】
前記防液シートの最下面の上側に、当該防液シート上を伝ってくる漏洩液を集液する漏洩液集液室を設け、
前記誘導管は、当該漏洩液集液室下面の前記防液シートに設けられた空孔に接続されていることを特徴とする請求項１に記載の地下貯蔵タンクの液体漏洩検知装置。
【請求項３】
前記地下貯蔵タンクは、鉄鋼板またはコンクリートの少なくともいずれかを有する壁面からなることを特徴とする請求項１または請求項２に記載の地下貯蔵タンクの液体漏洩検知装置。
【請求項４】
前記地下貯蔵タンクは、内側に鉄鋼板、外側にコンクリートを有する壁面からなることを特徴とする請求項１乃至請求項３のいずれか１項に記載の地下貯蔵タンクの液体漏洩検知装置。
【請求項５】
前記誘導管は、その下端に開閉弁を設けたことを特徴とする請求項１乃至請求項４のいずれか１項に記載の地下貯蔵タンクの液体漏洩検知装置。
【請求項６】
前記防液シートは、前記地下貯蔵タンクと一体に形成されていることを特徴とする請求項１乃至請求項５のいずれか１項に記載の地下貯蔵タンクの液体漏洩検知装置。
【請求項７】
前記防液シートが複数段設けられており、当該各防液シートに前記誘導管が備えられていることを特徴とする請求項１乃至請求項６のいずれか１項に記載の地下貯蔵タンクの液体漏洩検知装置。
【発明の詳細な説明】
【０００１】
【発明の属する技術分野】
この発明は、液体等を貯蔵し、その下面が地下に埋設されている地下貯蔵タンクからの、液体の漏洩を検知する装置に関する。
【０００２】
【従来の技術】
従来より、全体または一部が地下に埋設されている地下貯蔵タンクが知られている。こうした地下貯蔵タンクには、様々なものが貯蔵されているが、その中には、液体燃料等の危険物（有害物）も含まれている。こうした有害物である液体が、地下貯蔵タンクの破損等により漏洩すると、その周囲の地盤が汚染される。そのため、そうした地下貯蔵タンクの破損等を調べるために、液体の漏洩を検知する手段が知られている。
【０００３】
この液体の漏洩を検知する手段として、例えば、地中における地下貯蔵タンクのさらに下方に、漏洩液を誘導する誘導管を設けたものが知られている。この誘導管は、上側の数ヵ所に空孔を設けた環状の管を数個設置し、その各環状管の下面に空孔を設け、この下面の空孔にさらに下方向に伸びる他の管を接続するものである。そして、この他の管の他端において漏洩液の有無を検知することとなる。上記した環状管は、通常、貯蔵タンクの中心付近の位置から環の直径を変えて３重程度に設けられている。地下貯蔵タンクから液体が漏洩した場合には、環状管の上側の空孔から漏洩液体が環状管内に入り、これが他の管を伝って他端に流れるようになっている。
【０００４】
【発明が解決しようとする課題】
しかしながら、このような従来の地下貯蔵タンクの液体漏洩を検知する手段によると、貯蔵タンクからの液体漏洩を検知した場合には、既に、貯蔵タンクのさらに下面の地盤は、漏洩した液体により汚染されている。そのため、地下貯蔵タンク自体の修繕または取り替えの他、環境保全のために汚染された地下地盤（土、砂）一体の取り替えが必要となるという問題があった。
【０００５】
本発明は、このような問題点に鑑みてなされたものであり、地下貯蔵タンクから液体が漏洩した場合にも、地下地盤が汚染されず、その地盤一体を取り替えることを要さず、貯蔵タンクのみを修繕し、または取り替えれば再度の貯蔵タンクの使用が可能となる、地下貯蔵タンクの液体漏洩検知装置を提供することを課題とする。
【０００６】
【課題を解決するための手段】
上記課題を解決する本発明の地下貯蔵タンクの液体漏洩検知装置は、地下貯蔵タンクの周囲に設けられる防液シートと、防液シートと、誘導管と、からなる地下貯蔵タンクの液体漏洩検知装置であって、前記地下貯蔵タンクは、少なくともその下面が地下に埋設され、前記防液シートは、通液性を有しないとともに前記地下貯蔵タンクの地下埋設部位の外側に備えられ、当該防液シートの当該地下貯蔵タンク下面に備えられた部位は、一点に向かって下向きのテーパが形成されており、前記誘導管は、上側が前記防液シートに設けられた空孔から接続され、当該誘導管の下端において漏洩液の有無を検知することができるように構成されていることを特徴とする。
【０００７】
この発明によれば、地下貯蔵タンクから液体が漏洩した場合に、誘導管の下端において液体漏洩の有無を知ることができる。そして、貯蔵タンクの内容物である液体が有害物である場合に、その液体が漏洩しても防液シートにより地下地盤が汚染されない。そのため、その地盤一体を取り替えることを要さず、貯蔵タンクのみを修繕し、または取り替えれば再度の貯蔵タンクの使用が可能となる。
【０００８】
上記本発明の地下貯蔵タンクの液体漏洩検知装置は、前記防液シートの最下面の上側に、当該防液シート上を伝ってくる漏洩液を集液する漏洩液集液室を設け、前記誘導管は、当該漏洩液集液室下面の前記防液シートに設けられた空孔に接続されていることを特徴とする。
【０００９】
この発明によれば、漏洩液集液室を設けたことにより、微量の液体が漏洩した場合であっても、漏洩した液体が防液シート上を伝って漏洩液集液室に集液され、誘導管に流れる。そのため、液体の漏洩量を問わず、漏洩の有無を検知しやすくなる。
【００１０】
上記本発明の地下貯蔵タンクの液体漏洩検知装置は、前記地下貯蔵タンクを、鉄鋼板またはコンクリートの少なくともいずれかを有する壁面とすることや、前記地下貯蔵タンクを、内側に鉄鋼板、外側にコンクリートを有する壁面とすることができる。
【００１１】
上記本発明の地下貯蔵タンクの液体漏洩検知装置は、前記誘導管は、その下端に開閉弁を設けたことを特徴とする。
【００１２】
この発明によれば、誘導管の下端に開閉弁を設けたことにより、通常は開閉弁を閉じておくことができる。そのため、例えば地震等が起き、地下貯蔵タンクが大きく破損して多量の液体が漏洩した場合であっても、誘導管の先端から漏洩液が流出することはない。また、液体漏洩の有無の検査時にのみ開閉弁を開けて検査することができ、多量の漏洩液についても、その際に対処することができる。
【００１３】
上記本発明の地下貯蔵タンクの液体漏洩検知装置は、前記防液シートは、地下貯蔵タンクと一体に形成されていることを特徴とする。
【００１４】
上記本発明の地下貯蔵タンクの液体漏洩検知装置は、前記防液シートが複数段設けられており、当該各防液シートに前記誘導管が備えられていることを特徴とする。
【００１５】
この発明によれば、二重、三重…に、防液シートからの漏洩液の有無を検知できる。また、最も外側の防液シートの外部に液体が漏れる可能性は極めて小さい。そのため、地下貯蔵タンク周辺の地盤に液体が漏洩して汚染させることがなくなり、環境を保全することができる。
【００１６】
【発明の実施の形態】
以下に、図面を参照して、本発明の地下貯蔵タンクの液体漏洩検知装置について具体的に説明する。
【００１７】
図１は、本発明の地下貯蔵タンクの液体漏洩検知装置の一例を示し、貯蔵タンクの中心を通る鉛直線方向の断面図である。図２は、図１における地下貯蔵タンク液体漏洩検知装置１０の各部分を示す拡大断面図である。具体的には、図２（ａ）は貯蔵タンクの壁面、図２（ｂ）は貯蔵タンクの最下部、図２（ｃ）は誘導管の下端を示す。図３、図４及び図５は、本発明の地下貯蔵タンク液体漏洩検知装置の他の各例を示し、貯蔵タンクの中心を通る鉛直線方向の断面図である。図３、図４及び図５の各例については後述する。
【００１８】
まず、図１に示すように、本発明の地下貯蔵タンクの液体漏洩検知装置１０の基本的な構成は、地下貯蔵タンク２の周囲に設けられる防液シート３と、誘導管４と、からなる。図１に示す地下貯蔵タンクの液体漏洩検知装置１０は、地盤６中に埋め込まれており、地表６１の下面に装置全体が埋設されている。地下貯蔵タンク２の内容物は液体２５である。また、貯蔵タンク２の中心Ｘの最下面に漏洩液集液室５が設けられている。なお、本願における上下は、地下貯蔵タンクが設置された状態における上下をいう。
【００１９】
以下に、本発明の地下貯蔵タンクの液体漏洩検知装置１０について説明する。
【００２０】
まず、地下貯蔵タンク２（以下、単に貯蔵タンク２ともいう。）について説明する。地下貯蔵タンク２とは、一般に、地下に貯蔵タンク２の３分の１以上が埋設されているものを指すが、本発明においては、少なくとも貯蔵タンク２の下面が地下に埋設されているものを地下貯蔵タンク２とする。従って、図１に示すように、貯蔵タンク２全体が地下に埋設されていてもよいし、後述する図４及び図５に示すように、貯蔵タンク２の一部が地下に埋設されていてもよい。
【００２１】
そして、地下貯蔵タンク２の下面は、通常、図１に示すように、一点に向かって下向きのテーパが形成されている。ここで、地下貯蔵タンク２は、通常、水平面で切断すると、円形となっている。そのため、この最下面の一点は、地下貯蔵タンク２の強度上の観点から貯蔵タンク２の円形の中心Ｘとする。なお、地下貯蔵タンクは、上述した水平切断面の円形形状に限定されず、角形形状であっても、その他の形状であってもよい。また、最下面となる一点は、地下貯蔵タンク２の中心でなくてもよい。なお、地下貯蔵タンク２の下面は、このようなテーパの形成されたものに限定されない。
【００２２】
ここで、地下貯蔵タンク２の構成は、従来公知の貯蔵タンクと同様の構成であればよく、その壁面の材質や厚さは、特に限定されない。そうした貯蔵タンク２の壁面の材質としては、例えば、図１や図２（ａ）の貯蔵タンク壁面の拡大断面図等に示すように、内側に鉄鋼板（メタルタンク）２１、外側にコンクリート（コンクリートタンク）２２を有するもの、後述する図５に示すように鉄鋼板２１からなるもの、後述する図４に示すようにコンクリート２２からなるもの、等が挙げられる。これらの壁面のうち、強度等を考慮すると、内側に鉄鋼板２１、外側にコンクリート２２を有する壁面からなる地下貯蔵タンク２が好ましく用いられる。このような二重の壁面からなる地下貯蔵タンク２においては、鉄鋼板２１が破損して液体が漏洩した場合に、その漏洩液が、液体を通す性質であるコンクリート２２を通過して、また更にコンクリート２２も破損した場合は直接、後述する防液シート３の上を流れることとなる。
【００２３】
地下貯蔵タンク２の内容物（貯蔵物）は、特に限定されない。貯蔵タンク２の内容物としては、例えば、ガソリン等の液体燃料、有機溶媒、飲料水、産業廃液等を含む液体２５の他、後述する図４に示すような固体を中心とした廃棄物２７、有害物、汚染物質等が挙げられる。
【００２４】
なお、図示しないが、地下貯蔵タンク２は、強度を考慮してその下面に杭が打たれる場合も多く、その杭により貯蔵タンクの重量を支えている。また、地下貯蔵タンク２の下面の地盤を固く形成して、貯蔵タンクを支える場合もある。そして、地下貯蔵タンク２の規模についても特に限定されず、様々な大きさ、様々な用途の地下貯蔵タンクを使用することができる。
【００２５】
次いで、防液シート３について説明する。防液シート３は、通液性を有さない材質のシートであり、少なくとも地下貯蔵タンク２の地下に埋設された部位の外側に備えられている。防液シート３が、通液性を有さない材質、すなわち液体を通過させない材質であることにより、地下貯蔵タンク２からの漏洩液が防液シート３によって、地盤６に浸み出さない（漏れない）ようになっている。
【００２６】
このような防液シート３の材質は、貯蔵タンク２の内容物によって適宜選択される。すなわち、貯蔵タンクの内容物が油性のものであれば油を通さない性質のシートが用いられ、内容物が水性のものであれば水を通さない性質のシートが用いられる。また、防液シート３は、上述のように、貯蔵タンク２の壁面の外側に設けられて地下に埋設されるため、耐久性、耐針性等を有し、様々な形状にすることが自在であり、伸びのよいものが好ましく用いられる。防液シート３としては、具体的には、高密度ポリエチレンシート、中密度ポリエチレンシート等が用いられる。
【００２７】
また、防液シート３の厚さは、漏洩液が地盤にしみ出さないよう、また、耐久性、耐針性を有するよう構成されていれば、特に限定されないが、通常、０．１〜２．０ｍｍ程度である。なお、各図中に示される防液シート３及び貯蔵タンク２の壁面は、便宜的に厚みをもたせて記載したが、防液シート３や貯蔵タンク２の壁面の厚み及びその割合は、各図に記載のものに限定されるものではない。
【００２８】
そして、防液シート３の地下貯蔵タンク２下面に備えられた部位は、図１に示すように、一点に向かって下向きのテーパが形成されている。このように、防液シート３の下面にテーパが形成されていることにより、貯蔵タンク２から漏洩した液体が防液シート３上を伝って、後述する誘導管４に流れるようにすることができる。
【００２９】
ここで、防液シート３は、図２（ａ）に示すように、地下貯蔵タンク２の外壁と一体となって形成されていることが好ましい。防液シート３を貯蔵タンク２の外壁と一体として形成するための方法としては、防液シートの継ぎ目無し現場溶着施工法等が挙げられる。このように、防液シート３を貯蔵タンク２の外壁と一体として形成することにより、防液シート３から外へ漏れ出すのを防ぐことができる。このように、地下貯蔵タンク２と防液シート３とが一体として形成されている場合には、図１に示すように、貯蔵タンク２下面を下向きのテーパ形状にし、防液シート３をこの下面の形状に合わせて形成することにより、防液シート３の貯蔵タンク２下面に備えられた部位についても、一点に向かって下向きのテーパを形成することができる。
【００３０】
次いで、誘導管４について説明する。誘導管４は、中空状になっており、上側（上端）が防液シート３に設けられた空孔から接続されて下方向に伸びている。この誘導管４は、漏洩液が外に漏れない材質及び肉厚で形成されていればよく、材質として、例えば水道用ライニング鋼管等が用いられる。また、誘導管４の中空部の直径は、漏洩液が流れる程度であればよく、特に限定されない。
【００３１】
そして、液体漏洩検知装置１０は、誘導管４の下端の検知位置８において、漏洩液の有無を検知することができるように構成されている。漏洩液の有無の検知は、図１や後述する図３に示すように、人が直接観察することによりできるようにすることができる。これに対し、漏洩液の有無の検知は、後述する図４及び図５に示すように、人が直接観察することができないようにしてもよい。この場合には、例えば、容器に漏洩液が溜まるようにして、その容器自体を地上に引き上げて容器中の液体の有無を観察できるようにしてもよいし、棒の先端を誘導管４の下端に合わせて設置し、棒を地上に引き上げてその棒が濡れているか否かを観察できるようにしてもよい。その他、誘導管４の下端を監視できる位置に監視カメラ等を設け、遠隔地において漏洩液の有無を観察できるようにしてもよい。
【００３２】
ここで、誘導管４には、図２（ｃ）に示すように、その下端４１に開閉弁４２を設けることができる。この構成により、通常は開閉弁４２を閉めておき、定期的な点検の際、又は、地震等の災害後の点検の際に、開閉弁４２を開けて漏洩液の有無を検知することができる。このように、開閉弁４２を設け、通常は開閉弁４２を閉めておくことにより、地下貯蔵タンク２から液体が多量に漏洩した場合にも、誘導管４の下端４１からその漏洩液が流出し、誘導管４の下端の検知位置８周辺が汚染されることを防止できる。なお、上述の誘導管４の下端とは、誘導管４の最下端の位置のみならず、誘導管４の下端付近の位置をも含むものとする。
【００３３】
以上の基本的な構成からなる本発明の地下貯蔵タンクの液体漏洩検知装置１０によれば、地下貯蔵タンク２の破損等により、その外部に貯蔵液体２５が漏洩した場合に、誘導管４の下端４１の位置において、その漏洩液があることを検知することができる。そして、その際に防液シート３が漏洩液を通過させないため、漏洩液が周囲の地盤６まで浸透することがない。そのため、貯蔵液体２５が有害物であった場合にも、この貯蔵液体２５の漏洩により周囲の地盤６が汚染されることがない。このように、貯蔵液体２５の漏洩が検知された場合には、貯蔵タンク２について点検し、貯蔵タンク２を修繕するか、または貯蔵タンク２を取り替えれば、その地下貯蔵タンク２の位置における再度の貯蔵タンクの使用が可能となる。そして、この場合に、従来のように地盤６を取り替える必要がない。さらに、貯蔵タンク２を取り替えた場合にも、本発明の地下貯蔵タンクの液体漏洩検知装置１０と同様の構成にすることが好ましい。
【００３４】
さらに、上述した液体漏洩検知装置１０については、図１、図２（ｂ）に示すように、地下貯蔵タンク２及び防液シート３の最下面に、防液シート３が特に下に凹んだ部分を設け、これを漏洩液集液室５としてもよい。漏洩液集液室５は、図１の矢印７に示すように、防液シート３上を伝ってきた漏洩液を集める。そして、漏洩液集液室５を設けた場合には、その下面の防液シート３に空孔を設け、その空孔に上述の誘導管４が接続される。漏洩液集液室５を設けることにより、微量の液体が漏洩した場合であっても、漏洩液が防液シート３上を伝って漏洩液集液室５に集液され、誘導管４に流れるため、液体の漏洩を検知しやすくなる。なお、地下貯蔵タンク２と防液シート３とは、一体としなくてもよい。その場合、例えば、防液シート３を土壌中に敷くことにより、防液シート３まで貯蔵タンク２中の液体が漏れてきた場合に、このことを検知することができ、取り替える土壌の量は少量ですむ。
【００３５】
次に、図３を参照して、防液シート３が二重に設けられた態様の本発明の液体漏洩検知装置１１について説明する。図３は、液体漏洩検知装置１１の貯蔵タンクの中心を通る鉛直線方向の断面図を示す。
【００３６】
この液体漏洩検知装置１１は、貯蔵タンク２と、防液シート３及び３’と、誘導管４及び４’と、漏洩液集液室５及び５’と、からなる。貯蔵タンク２の壁面は、メタルタンク２１、コンクリートタンク２２とから構成されており、この壁面と防液シート３が一体として形成されている。さらに、この防液シート３を囲むように、その外側に防液シート３’が備えられている。
【００３７】
そして、貯蔵タンク２の中心Ｘであり、防液シート３の最下面の位置には、漏洩液集液室５が備えられており、さらにその最下面の防液シート３の空孔から誘導管４が斜め下方向に伸びている。また、貯蔵タンク２の中心Ｘであり、防液シート３’の最下面の位置には、漏洩液集液室５’が備えられており、さらにその最下面の防液シート３’の空孔から誘導管４’が斜め下方向に伸びている。この各誘導管４及び４’の下端の検知位置８において漏洩液の有無を検知できるようになっている。その他の構成は、図１について説明した地下貯蔵タンクの液体漏洩検知装置１０の基本的な構成と同様である。
【００３８】
ここで、防液シート３と防液シート３’との間の構成は、特に限定されないが、例えば、両シート３及び３’間に３０〜１２０ｃｍ程度の距離をおいてもよい。また、外側の防液シート３’は、図３に示す場合等に、継ぎ目無し現場溶着施工等の方法により形成される。さらに、外側の防液シート３’は、合成樹脂材等によりその強度を保持するようにしてもよい。
【００３９】
なお、図３には防液シート３が２枚設けられた態様を示したが、これに限定されるものではなく、防液シート３が複数段（複数枚）設けられており、その各防液シート３に上述の誘導管４が備えられたものとすることができる。このように、複数の防液シートを備えることにより、二重、三重…に、防液シート３からの、又は上部の防液シートからの漏洩液の有無を検知できる。また、最も外側の防液シート３の外部に液体が漏れる可能性は極めて小さい。そのため、地下貯蔵タンク２周辺の地盤に液体が漏洩して汚染させることがなくなり、環境を保全することができる。なお、上述の、防液シートを１枚設けた態様と同様に、最外層の防液シート３’は、地下貯蔵タンク２と一体とした構造にしなくてもよい。その場合にも、例えば、防液シート３’を土壌中に敷くことにより、最外層の防液シート３’まで貯蔵タンク２中の液体が漏れてきた場合に、このことを検知することができ、取り替える土壌の量は少量ですむ。
【００４０】
次に、図４を参照して、貯蔵タンクの内容物を廃棄物（ゴミ）とし、廃棄物の一時的な保存用のタンクに本発明の地下貯蔵タンクの液体漏洩検知装置を適用した態様について説明する。図４は、そうした液体漏洩検知装置１２の貯蔵タンクの中心Ｘを通る鉛直線方向の断面図を示す。
【００４１】
この液体漏洩検知装置１２は、貯蔵タンク２と、防液シート３と、誘導管４と、からなる。この貯蔵タンク２は、下側の一部分が地下に埋設されている。貯蔵タンク２の壁面は、コンクリートタンク２２で構成されており、この壁面の地下に埋設されている部分と防液シート３とが一体として形成されている。誘導管４は、貯蔵タンク中心Ｘの防液シート３の下端の位置から斜め下の方向に伸びている。この誘導管４の下端の検知位置８において漏洩液の有無を検知できるようになっている。
【００４２】
なお、上述の液体漏洩検知装置１２においては、貯蔵タンク２の内容物は、固体を中心とする廃棄物２７であるため、上述したように、貯蔵タンク２の壁面を通液性のコンクリートタンク２２のみとしている。この液体漏洩検知装置１２においては、廃棄物２７の中に液体が混ざっていた場合に、その液体分を誘導管４から排出することができる。また、貯蔵タンク２には、廃棄物２７を移動等させるための廃棄物用クレーン２８が備えられている。その他の構成は、図１について説明した地下貯蔵タンクの液体漏洩検知装置１０の基本的な構成と同様である。
【００４３】
また、このような、貯蔵タンクの内容物を廃棄物（ゴミ）とした態様のように、ゴミ最終処分場において本発明の地下貯蔵タンクの漏洩検知装置を用いた場合には、そうした処分場における浸出水の漏出を防ぐために設置される遮水シート等の遮水材と併用することが可能である。
【００４４】
次に、図５を参照して、本発明における地下貯蔵タンクの液体漏洩検知装置の誘導管の形状を環状とした態様について説明する。図５（ａ）は、そうした液体漏洩検知装置１３の、貯蔵タンクの中心を通る鉛直線方向の断面図を示し、図５（ｂ）は、液体漏洩検知装置１３の上面図を示す。
【００４５】
この液体漏洩検知装置１３は、貯蔵タンク２と、防液シート３と、誘導管４３，４４，４５，４６，４７と、からなる。この貯蔵タンク２は、下側の一部分が地下に埋設されている。貯蔵タンク２の壁面は、鉄鋼板２１で構成されており、この壁面の地下に埋設されている部分と防液シート３とが一体として形成されている。
【００４６】
そして、誘導管として、従来技術のように、環状管４３、４４及び４５が、環の直径を違えて三重に設けられている。ただし、この各環状管４３、４４及び４５は、その上側の一以上の位置において、防液シート３に設けられた空孔と環状管の中空部分とが接続されている。そのため、防液シート３上に貯蔵液体２５が漏洩した場合には、当該接続部分を通じて漏洩液が環状管中に流れるようになっている。このとき、環状管４３、４４及び４５と防水シート３との接続部分は、直接環状管が防水シート３と接続していてもよいし、環状管と防水シート３との間にさらに管が備えられていてもよい。各環状管４３、４４及び４５は、水平または水平から少し傾いた状態で設置される。そして、最内側の環状管４３の横又は下側から伸びる誘導管４７に、その外側の環状管４４及び最外側の環状管４５のそれぞれの下側から伸びる管４６が誘導管４７に接続されている。
【００４７】
このような構成により、図５に記載の地下貯蔵タンクの液体漏洩検知装置１３は、地下貯蔵タンク２から液体が漏洩した場合に、防液シート３上から環状管４３、４４及び４５に漏洩液が流れ、さらにそれらの漏洩液が管４６と誘導管４７を介して誘導管４７の下端の位置８まで流れる。そのため、この誘導管４７の下端の位置８において漏洩液の有無を検知できるようになっている。その他の構成は、図１について説明した地下貯蔵タンクの液体漏洩検知装置１０の基本的な構成と同様である。
【００４８】
なお、図５には環状管４３，４４及び４５が三重に設けられた態様を示したが、これに限定されるものではなく、環状管が一以上、設けられたものとすることができる。また、誘導管の構成は、上述のものに限定されず、防液シート３上を流れてくる漏洩液を、漏洩液の検出位置８まで誘導できるよう構成されていればよい。
【００４９】
【発明の効果】
以上述べたように、本発明の地下貯蔵タンクの液体漏洩検知装置によれば、地下貯蔵タンクから液体が漏洩した場合に、誘導管の下端において液体漏洩の有無を知ることができる。そして、貯蔵タンクの内容物である液体が有害物である場合に、その液体が漏洩しても防液シートにより地下地盤が汚染されない。そのため、その地盤一体を取り替えることを要さず、貯蔵タンクのみを修繕し、または取り替えれば再度の貯蔵タンクの使用が可能となる。
【図面の簡単な説明】
【図１】本発明の地下貯蔵タンクの液体漏洩検知装置の一例を示す断面図である。
【図２】図１に示す本発明の地下貯蔵タンクの液体漏洩検知装置の部分拡大図である。
【図３】本発明の地下貯蔵タンクの液体漏洩検知装置の防液シートを二重に設けた態様を示す断面図である。
【図４】本発明の地下貯蔵タンクの液体漏洩検知装置の他の一例を示す断面図である。
【図５】本発明の地下貯蔵タンクの液体漏洩検知装置のさらに他の一例を示す断面図および上面図である。
【符号の説明】
１０、１１、１２、１３…地下貯蔵タンクの液体漏洩検知装置
２…地下貯蔵タンク
２１…鉄鋼板（メタルタンク）
２２…コンクリート（コンクリートタンク）
２５…貯蔵液体
２７…廃棄物（ゴミ）
２８…廃棄物用クレーン
３、３’…防液シート
４、４’、４３、４４、４５、４６、４７…誘導管
４１…誘導管下端
４２…開閉弁
５、５’…漏洩液集液室
６…地盤
６１…地面
７…漏洩液の流れ
８…漏洩液検知位置
Ｘ…地下貯蔵タンクの中心
【図１】
2004352320.tif 000003
【図２】
2004352320.tif 000004
【図３】
2004352320.tif 000005
【図４】
2004352320.tif 000006
【図５】
2004352320.tif 000007